(57)【要約】  【課題】  ドアガラスが昇降するドアサッシュの上端側のコーナー部では、グラスラン本体のルーフ側とピラー側との底面リップの接続部が切れ易い。  【解決手段】  ルーフ側の底面リップ５ａの右端部を、ドアガラス３の上昇によりピラー側の底面リップ６ａの上端部が外側へ撓んだ時の位置に設定し、ルーフ側の底面リップ５ａの右端部から下方へ向かって延長リップ７を設ける一方、該延長リップ７の下端近傍にはピラー側の底面リップ６ａの上端近傍と重合する部分を設け、ドアガラス３を下降させたときには、底面リップ６ａの上端部が延長リップ７から離間し、ドアガラス３を上昇させたときには、ドアガラス３に押されて底面リップ６ａの上端部が延長リップ７に圧接され、底面リップが一体化する。  【選択図】  図１
2005193798.tif 000002
【特許請求の範囲】
【請求項１】
ドアサッシュの上端側のコーナー部を含む部位の内周部に嵌合されるグラスラン本体を有し、該グラスラン本体の内部に、ドアガラスの側端縁が当接する底面リップを有する自動車用グラスランにおいて、
前記底面リップを前記コーナー部の近傍で分離させ、分離させた一方の底面リップの端部を、他方の底面リップの撓み時の位置に設定すると共に、当該一方の底面リップの端部に、前記他方の底面リップと略平行であって、前記他方の底面リップの端部近傍と重合可能な延長リップを設け、
ドアガラス閉状態において、前記他方の底面リップの端部近傍が前記延長リップの端部近傍に圧接されて密着することを特徴とする自動車用ドアグラスラン。
【請求項２】
請求項１において、前記他方の底面リップの端部を前記一方の底面リップに対して隙間を設けた位置に設定したことを特徴とする自動車用ドアグラスラン。
【請求項３】
請求項１または２に記載の自動車用ドアグラスランにおいて、前記コーナー部が、車体の前後方向に沿って設けられたドアサッシュの上端部位と、該上端部位に結合され車体の上下方向に沿って設けられたドアサッシュの前側または後側の部位とで構成され、前記底面リップの分離される部分が、前記ドアサッシュの前側または後側の部位に配置され、分離された位置よりも上方の底面リップの端部に前記延長リップを設けたことを特徴とする自動車用ドアグラスラン。
【請求項４】
請求項１〜３に記載の自動車用ドアグラスランにおいて、前記他方の底面リップの端部近傍と、前記延長リップの端部近傍と、のうちの少なくともいずれか一方の肉厚を、先端へ向かって順次に小さくしたことを特徴とする自動車用ドアグラスラン。
【発明の詳細な説明】
【技術分野】
【０００１】
本発明は、自動車用ドアグラスランに関し、特にドアガラスが閉状態にあるときに上部のコーナー部で底面リップが切れるのを防止したものである。
【背景技術】
【０００２】
自動車のドアガラスを閉じたときに、車室の内外をシールするために、ドアサッシュ部にドアグラスランが嵌合されて保持されている。ドアグラスランは、直線部分を押出成形により形成し、コーナー部は角度を設けて配置した押出成形品同士の間をゴムで埋める型成形により形成し、一体化される。ドアグラスランには、遮音性向上の対策として、ドアガラスの側端縁に当接させる底面リップが形成されている。
【０００３】
従来の自動車用ドアグラスランは、以下の特許文献１に記載のように、グラスラン本体の内壁面にガラス規制リップを形成し、ドアガラスが上昇する過程でガラス規制リップの撓み反力により、ドアガラスを徐々に外側へ導いて、アウタリップに押し付けるようにしたものである。
【特許文献１】特開２００１−２０３１７１号公報（図４）
【発明の開示】
【発明が解決しようとする課題】
【０００４】
ところが、ドアガラスの側端縁に当接する底面リップ同士もコーナー成形部において接続されており、ドアガラスを閉状態にしたときに底面リップのコーナー部に大きな引張り力が加わり、ルーフ側の底面リップとピラー側の底面リップとの交わる部分であるコーナー部が切断され易い。
【０００５】
そこで本発明は、上記の課題を解決し、シール性能を確保した状態で、耐久性を確保できるようにした自動車用ドアグラスランを提供することを目的とする。
【課題を解決するための手段】
【０００６】
請求項１に係る発明は、ドアサッシュの上端側のコーナー部を含む部位の内周部に嵌合されるグラスラン本体を有し、該グラスラン本体の内部に、ドアガラスの側端縁が当接する底面リップを有する自動車用グラスランにおいて、前記底面リップを前記コーナー部の近傍で分離させ、分離させた一方の底面リップの端部を、他方の底面リップの撓み時の位置に設定すると共に、当該一方の底面リップの端部に、前記他方の底面リップと略平行であって、前記他方の底面リップの端部近傍と重合可能な延長リップを設け、ドアガラス閉状態において、前記他方の底面リップの端部近傍が前記延長リップの端部近傍に圧接されて密着することを特徴とする。
【０００７】
このような自動車用ドアグラスランでは、ドアガラスを開いたときには、他方の底面リップの端部近傍が延長リップの端部近傍に圧接されない状態となり、ドアガラスを閉じると、ドアガラスが他方の底面リップの端部近傍を押圧し、該他方の底面リップの端部近傍が延長リップの端部近傍に圧接され、両者が重なって一体化する。
【０００８】
請求項２に係る発明は、請求項１において、前記他方の底面リップの端部を前記一方の底面リップに対して隙間を設けた位置に設定したことを特徴とする。
【０００９】
このような自動車用ドアグラスランでは、成形用金型の中子の厚さ寸法を大きくできる。
【００１０】
請求項３に係る発明は、請求項１または２に記載の自動車用ドアグラスランにおいて、前記コーナー部が、車体の前後方向に沿って設けられたドアサッシュの上端部位と、該上端部位に結合され車体の上下方向に沿って設けられたドアサッシュの前側または後側の部位とで構成され、前記底面リップの分離される部分が、前記ドアサッシュの前側または後側の部位に配置され、分離された位置よりも上方の底面リップの端部に前記延長リップを設けたことを特徴とする。
【００１１】
このような自動車用ドアグラスランでは、ドアガラスを閉じると、上下方向で分離された下方の底面リップの上端が、ドアガラスに押圧されて延長リップに圧接され、両者が密着して一体化する。
【００１２】
請求項４に係る発明は、請求項１〜３に記載の自動車用ドアグラスランにおいて、前記他方の底面リップの端部近傍と、前記延長リップの端部近傍と、のうちの少なくともいずれか一方の肉厚を、先端へ向かって順次に小さくしたことを特徴とする。
【００１３】
このような自動車用ドアグラスランでは、前記他方の底面リップの端部近傍と、前記延長リップの端部近傍と、のうちの少なくともいずれか一方の肉厚を、先端へ向かって順次に小さくしたので、ドアガラスが閉じられて両者が相対的に圧接されたときに、各部が均等な圧力で圧接され、ドアガラスに対する底面リップの気密性が高い。
【発明の効果】
【００１４】
本発明に係る自動車用ドアグラスランによれば、底面リップをドアサッシュの上端側のコーナー部の近傍で分離させ、分離した一方の底面リップの端部に、他方の底面リップと略平行であって、他方の底面リップの端部近傍と重合可能な延長リップを設けたので、ドアガラスを閉状態にすると、他方の底面リップの端部近傍が延長リップに圧接されて密着する。このため、閉状態のドアガラスからコーナー部の底面リップに大きな力が加わって底面リップが切れたりせず、自動車用ドアグラスランの耐久性および遮音性が確保される。
【００１５】
また、他方の底面リップの端部を一方の底面リップに対して隙間を設けた位置に設定したことにより、成形用金型の中子の厚さ寸法を大きくでき、成形用金型の耐久性が向上する。
【発明を実施するための最良の形態】
【００１６】
以下、本発明による自動車用ドアグラスランの実施の形態を説明する。
【００１７】
（ａ）実施の形態１
図６は自動車のフロントドア１とリアドア２とを示すものである。フロントドア１には、昇降可能なドアガラス３が設けられている。ドアガラス３を支持するサッシュ部のうちの、車体の前後方向に沿って設けられた上端部位（ルーフ側）４ａの断面図であるＡ−Ａ矢視断面図と、車体の上下方向に沿って設けられた後側部位（ピラー側）４ｂの断面図であるＢ−Ｂ矢視断面図とを図７（ａ）（ｂ）に示す。
【００１８】
図７（ａ）（ｂ）のように、サッシュ部の上端部位４ａ，後側部位４ｂは、ドア本体を形成しているアウタパネルやインナパネルと共に形成されていて、上端部位４ａ，後側部位４ｂの凹部４ｃ、４ｄに、押出成形によりソリッドゴム若しくは樹脂にて成形されたドアグラスラン本体５，６が嵌合されている。ドアグラスラン本体５は、下向きに開口した断面略コ字状であり、ドアガラス３の側端縁に当接する底面リップ５ａと、内面に当接するインナリップ５ｂと、外面に当接するアウタリップ５ｄとを有する。一方、ドアグラスラン本体６は、横向きに開口した断面略コ字状であり、ドアガラス３の側端縁に当接する底面リップ６ａと、内面に当接するインナリップ６ｂと、外面に当接するアウタリップ６ｄとを有する。これらのドアグラスラン本体５とドアグラスラン本体６とを図示しない成形金型に挿入した上で、ソリッドゴムあるいは樹脂を注入してコーナー部を成形することにより、図３に示すように、そのコーナー部を介して、ドアグラスラン本体５とドアグラスラン本体６とが接続されている。そして、インナリップ５ｂとインナリップ６ｂ、アウタリップ５ｄとアウタリップ６ｄとがコーナー部で夫々接続されている。
【００１９】
ここで、ドアガラス３の側端縁３ａに当接する底面リップ５ａと底面リップ６ａとのコーナー部の近傍は、図１のように分離されている。即ち以下のようになっている。ルーフ側の底面リップ５ａの右端は、ピラー側の底面リップ６ａの上端がドアガラス３の上昇により外側へ撓んだ時の位置に設定されている。一方、ピラー側の底面リップ６ａの上端は、ルーフ側の底面リップ５ａの下面に対して隙間α（図２）を設けた位置に設定されている。そして、底面リップ５ａの右端から下方へ向かって底面リップ６ａと略平行に、延長リップ７が形成されている。この延長リップ７の端部近傍は、底面リップ６ａの端部近傍に重合可能になっている。ここで、前記のようにルーフ側の底面リップ５ａの右端は、ピラー側の底面リップ６ａの上端がドアガラス３の上昇により外側へ撓んだ時の位置に設定されているため、延長リップ７は底面リップ６ａに対して隙間β（図２）を確保している。なお、前記隙間αおよび隙間βを確保することにより、成形用金型の中子の厚さ寸法も大きくでき、成形用金型の耐久性が向上する。ドアガラス３が閉状態では、底面リップ６ａの端部近傍が隙間なく延長リップ７の端部近傍と重なって密着するように、底面リップ６ａの延長リップ７側の面が斜めにカットされてテーパ面９が形成され、底面リップ６ａの厚さ寸法が、先端へ向かうにつれて順次に小さくなっている。一方、延長リップ７の下端も同様にして底面リップ６ａ側の面を斜めにカットしてテーパ面８が形成され、延長リップ７の下端の厚さ寸法が、先端へ向かうにつれて順次に小さくなっている。
【００２０】
次に、自動車用ドアグラスランの作用を説明する。図２（ａ）に示すように、ドアガラス３が開状態にあるときは、ドアガラス３による押圧がないので、ピラー側の底面リップ６ａの上端はドアガラス３へ向かって撓んでいる。このため、ピラー側の底面リップ６ａの上端は、延長リップ７からβだけ離間している。次に、図２（ｂ）に示すように、ドアガラス３の閉状態では、ドアガラス３の右側の側端縁がピラー側の底面リップ６ａを右側へ押圧するので、ピラー側の底面リップ６ａが延長リップ７に圧接される。このとき、テーパ面８とテーパ面９とが密着し、底面リップ６ａの端部近傍と延長リップ７の端部近傍とが一体化するので、ドアガラス３と底面リップ６ａ等との間の気密性が確保される。このときの動きを上方から見たときの変化を図４に示す。ドアガラス３が開状態では、図４に二点鎖線で示す右側位置に延長リップ７が存在する一方、ピラー側の底面リップ６ａが相対的に左側の実線で示す位置を占めている。ドアガラス３が閉状態では、ピラー側の底面リップ６ａがドアガラス３に押されて右側へ移動し、ドアガラス３に押されている部分である底面リップ６ａの先端側である図４中の略下半分が二点鎖線で示すように延長リップ７と重なる。
【００２１】
（ｂ）実施の形態２
実施の形態１は底面リップを分離させる部分をピラー側の底面リップに設けたが、図５に示すように分離する部分をルーフ側の底面リップ５ａに設けることもできる。この場合は、ドアガラス３が開の状態では底面リップ５ａの右端近傍が下方へ撓んでおり、ピラー側の底面リップ６ａの上端に、左方へ向かって延長リップ７が形成されている。ドアガラス３が開の状態では、図５のように底面リップ５ａの右端近傍が下方へ撓む一方、ドアガラス３が閉の状態では、底面リップ５ａの右端近傍がドアガラス３に押されて上方へ移動し、延長リップ７の端部近傍と重なる。
【００２２】
なお、フロントドアのルーフ側とピラー側とのコーナー部に本発明を適用した場合について説明したが、リアドアのルーフ側とピラー側とのコーナー部に適用してもよく、あるいはフロントドアのフロント側のコーナー部やリアドアのリヤ側のコーナー部に適用してもよい。これらの場合にも、底面リップが分離する部分は、ピラー側あるいは反ピラー側とルーフ側とのいずれに設けることもできる。本発明は、上部のコーナー部であって、コーナー部の角度が小さいために、ドアガラスを上昇させたときにグラスラン本体の底面リップが切れ易い部分に適用することができる。更に、底面リップの端部近傍と延長リップの端部近傍との双方にテーパ面を形成したが、いずれか一方に形成してもよく、あるいはいずれもテーパ面を形成することなくストレートに延ばしてもよい。
【図面の簡単な説明】
【００２３】
【図１】自動車用ドアグラスランの底面リップのコーナー部を示す構成図（実施の形態１）。
【図２】自動車用ドアグラスランの作用説明図（実施の形態１）。
【図３】自動車用ドアグラスランのコーナー部を示す斜視図（実施の形態１）。
【図４】自動車用ドアグラスランの底面リップが分離された部分での作用を示すものであり、図３のＣ−Ｃ矢視図（実施の形態１）。
【図５】自動車用ドアグラスランの底面リップの構成図（実施の形態２）。
【図６】自動車のドアを示す正面図（実施の形態１）。
【図７】（ａ）は図６のＡ−Ａ矢視図、（ｂ）は図６のＢ−Ｂ矢視図（実施の形態１）。
【符号の説明】
【００２４】
３…ドアガラス
５，６…グラスラン本体
５ａ，６a…底面リップ
７…延長リップ
８，９…テーパ面
【図１】
2005193798.tif 000003
【図２】
2005193798.tif 000004
【図３】
2005193798.tif 000005
【図４】
2005193798.tif 000006
【図５】
2005193798.tif 000007
【図６】
2005193798.tif 000008
【図７】
2005193798.tif 000009